(57)【要約】      （修正有）【課題】維持管理が簡便でありながら、低周波騒音を高い効率で低減することができる防音耳当てを提供する。【解決手段】圧電・誘電・導電材料と有機高分子材料マトリックスとからなる制振材料を吸音材１として本体２に取り付けて用いることで、動作電力等が必要とならず維持管理が簡便なものとなると共に、低周波騒音を制振により低減できる圧電・誘電・導電材料と有機高分子材料マトリックスとからなる吸音材１により低周波騒音を効率的に低減して高い防音効果を得ることができる。また吸音材１の厚みは小さいものとなって嵩張らず、耳当てとしての十分に小さいものとすることができる。【選択図】図１
2007322577.tif 000002
【特許請求の範囲】
【請求項１】
本体と、該本体に取り付けられ、装着時に少なくとも耳穴の周辺を覆う吸音材とを備え、該吸音材が圧電・誘電・導電材料と有機高分子材料マトリックスとからなる制振材料をシート状に成形したものであることを特徴とする防音耳当て。
【請求項２】
前記吸音材は、有機高分子材料マトリックスとして分子量１００００〜１００００００の塩素化ポリエチレン１０〜９５重量％、圧電・誘電・導電材料として分子量３０〜１００００のビスフェノール系酸化防止剤５〜８０重量％を含んでなるものであることを特徴とする請求項１に記載の防音耳当て。
【発明の詳細な説明】
【技術分野】
【０００１】
本発明は、ヘッドホン等に備えられ、使用者の耳を覆って騒音による難聴を防止する防音耳当てに関するものである。
【背景技術】
【０００２】
従来、吸音材を用いて使用者の耳を覆い、騒音による難聴を防止するための防音耳当てとしては、例えばヘッドバンドの両端にそれぞれ耳を覆う耳当部が装着され、各耳当部はそれぞれ管体よりなり軸方向に通過する音波の通過周波数帯域を制限する消音要素を備えて成るヘッドホン型消音装置が開示されている（例えば特許文献１）。
【０００３】
【特許文献１】特開昭６３−２３７０９７号公報
【発明の開示】
【発明が解決しようとする課題】
【０００４】
しかしながら、特許文献１に記載のような従来の防音耳当てでは、消音要素としてマイクロホンを用いていることから、その動力として電力が必要となるものであり、メンテナンスやランニングコスト等の維持管理が繁雑なものであった。また動力を用いない消音要素としてグラスウールやロックウール等の吸音材を用いるのでは、低周波騒音を低減するのに極めて大きい厚みにする必要があり、耳当てとして用いるには大型になりすぎるものであった。
【０００５】
本発明は上記の如き課題に鑑みてなされたものであり、維持管理が簡便でありながら、低周波騒音を高い効率で低減することができる防音耳当てを提供せんとするものである。
【課題を解決するための手段】
【０００６】
上記目的を達成するため、本発明は以下のような構成としている。すなわち、本発明に係わる防音耳当ては、本体と、該本体に取り付けられ、装着時に少なくとも耳穴の周辺を覆う吸音材とを備え、該吸音材が圧電・誘電・導電材料と有機高分子材料マトリックスとからなる制振材料をシート状に成形したものであることを特徴とするものである。
【０００７】
本発明に係わる防音耳当てによれば、動作電力等が必要とならず維持管理が簡便なものとなるが、圧電・誘電・導電材料と有機高分子材料マトリックスとからなる低周波騒音を制振により低減できる制振材料を吸音材として用いることで、低周波騒音を効率的に低減して高い防音効果を得ることができる。また吸音材の厚みは小さいものとなって嵩張らず、耳当てとしての十分に小さいものとすることができる。
【０００８】
ここで圧電・誘電・導電材料とは、酸化防止剤としては、イオウ系酸化防止剤、フェノール系酸化防止剤、フェノール系耐熱安定剤、安定剤・酸化防止剤等の、一次酸化防止剤、二次酸化防止剤、加工安定剤等を用いてよいが、この内、４，４’−ブチリデンビス（３−メチル−６−ｔ−ブチルフェノール）を主成分とする酸化防止剤であるスミライザー（登録商標）、Ｎ，Ｎ’−ジシクロへキシル−２−ベンゾチアゾリルスルフェンアミド等が好適であり、その分子量は３０〜１００００程度が好適である。また有機高分子材料マトリックスとは、塩素化ポリオレフィン、ポリビニリデンクロライド、フッ素化ポリオレフィン、ポリビニリデンフルオライド、ポリウレタン、アクリルゴム等の合成樹脂材料であり、好適には分子量は１００００〜１００００００程度の塩素化ポリエチレンであり、更に分子量は２００００〜５０００００程度が好ましい。上記の有機高分子材料マトリックス１００重量部に対して、上記の如き圧電・誘電・導電材料を５〜８０重量部添加した制振材料をシート状に成形することで吸音材として用いるものである。
【０００９】
また前記吸音材は、有機高分子材料マトリックスとして分子量１００００〜１００００００の塩素化ポリエチレン１０〜９５重量％、圧電・誘電・導電材料として分子量３０〜１００００のビスフェノール系酸化防止剤５〜８０重量％を含んでなるものであれば、低周波騒音を更に効率的に低減することができ好ましい。
【００１０】
かかる低周波騒音が効率的に低減される仕組みは完全に明瞭ではないが、上記範囲で分子量が分布する塩素化ポリエチレン間に、上記範囲の分子量のビスフェノール系酸化防止剤が程良く分散して分布することで、内部抵抗が高められてシート状の吸音材の制振性が高められること、また上記範囲の分子量の塩素化ポリエチレンにより柔軟性が確保されることでシート状の吸音材が円滑に変形することが可能となされていることが挙げられる。
【００１１】
ビスフェノール系酸化防止剤としては、上述の４−４’−ブチリデンビス（３−メチル−６−ｔ−ブチルフェノール）や、２，２’−メチレンビス（４−メチル−６−ｔ−ブチルフェノール）、２，２’−メチレンビス（４−エチル−６−ｔ−ブチルフェノール）、４，４’−チオビス（３−メチル−６−ｔ−ブチルフェノール）等で、分子量が３０〜１００００のものを用いることができる。
【発明の効果】
【００１２】
本発明に係わる防音耳当てによれば、動作電力等が必要とならず維持管理が簡便なものとなるが、圧電・誘電・導電材料と有機高分子材料マトリックスとからなる低周波騒音を制振により低減できる制振材料を吸音材として用いることで、低周波騒音を効率的に低減して高い防音効果を得ることができる。また吸音材の厚みは小さいものとなって嵩張らず、耳当てとしての十分に小さいものとすることができる。
【発明を実施するための最良の形態】
【００１３】
本発明に係わる最良の実施の形態について、図面に基づき以下に具体的に説明する。
【００１４】
図１は、本発明に係わる防音耳当ての、実施の一形態を示すもので、（ａ）は使用者が装着した状態を示す正面図、（ｂ）は防音耳当ての縦断面図である。防音耳当て１０は、利用者Ｍの両耳を覆うようになされ、両耳を覆う防音耳当て１０は、金属製で弾性力を備え防音耳当て１０を利用者の耳に押し付けるようにしている接続材２０によって接続されて、ヘッドホン形状となされている。
【００１５】
（ｂ）は、（ａ）におけるＡ−Ａ断面図である。防音耳当て１０は、本体２内の空間に、本体２の内面に設けられた取付部２１により吸音材１が緊張された状態で取り付けられている。本体２の、騒音が到来する方向αの反対側は開口され、この開口部分に装着時に使用者Ｍの耳朶が収容されることで、本体２により使用者Ｍの耳全体が覆われるようになされると共に、吸音材１により耳穴の周辺が覆われるようになされている。この防音耳当て１０に、方向αから騒音が到来すると、本体２を透過した騒音は吸音材１に到達するが、吸音材１が圧電・誘電・導電材料と有機高分子材料マトリックスとからなる制振材料をシート状に成形したものであることで、吸音材１が振動して騒音が低減され、使用者Ｍの耳に届く度合いが小さくなり難聴を防止することができる。
【００１６】
ここで吸音材１は、本体２内に緊張して取り付けられ、騒音に対して振動し、主として吸音材１の内部抵抗によりその振動が減衰されることで吸音が図られるものである。従って、吸音材１の両側は吸音材１が振動できるだけの、本体２内面との間隔及び使用者Ｍの耳朶との間隔が開けられるようになされている。かかる振動の減衰による吸音材１は、とりわけ低周波騒音の低減を効果的に図ることができるものである。
【００１７】
本実施形態においては、防音耳当て１０を接続材２０により接続しヘッドホン形状としているが、吸音材１が使用者Ｍの耳穴の周辺を覆うようにできるものであれば特に形状は限定されるものではなく、耳朶に直接クリップ止めできるような形状や、更に小型化を図って、使用者Ｍの耳穴の入り口に嵌着可能なものとしてもよい。
【００１８】
上述の実施形態における吸音材１はシート状のものであるが、その厚みは１〜２０ｍｍ程度が好ましい。厚みが１ｍｍを下回ると低周波振動の抑制が十分に行われなくなり、厚みが２０ｍｍを上回ると、吸音材１の厚みの増加に伴う低周波振動の抑制効果が頭打ちとなってコストパフォーマンスが著しく低下することとなる。
【００１９】
また、吸音材１は低周波騒音の低減を行うものであるが、圧電・誘電・導電材料と有機高分子材料マトリックスとの配合比、選択する材料や、各々の分子量を変更することで低減される低周波騒音の周波数を選択的に低減し、低減が必要な騒音のみを低減させることが可能とできる。かかる特性を利用することで、例えば工場の労働者が使用する防音耳当てにおいて、１００Ｈｚ周辺の低周波騒音を高い効率で選択的に低減させ、２００Ｈｚ周辺の音波をそれ程低減させないような低減特性とすることで、工場の設備からの１００Ｈｚ周辺の周波数である低周波騒音のみを低減させて難聴の予防を図ることができると共に、主として人間の話し声の周波数である２００Ｈｚ周辺の音波をそれ程低減させないことで、設備の騒音を低減できるにも係わらず、設けられた仕切壁越しに人間同士が会話可能となって利便性を高めたり事故発生時に助けを呼ぶ声が妨げられず安全性を高めたりすることができる。
【図面の簡単な説明】
【００２０】
【図１】本発明に係わる防音耳当ての、実施の一形態を示す説明図である。
【符号の説明】
【００２１】
１    吸音材
２    本体
１０  防音耳当て
【図１】
2007322577.tif 000003